(57)【要約】【課題】署名箇所や捺印箇所などをより厳密に明示可能な付箋帳について、利便性に富み、無駄の少ない構成を提案する。【解決手段】書類の署名や捺印箇所などの特定箇所１４を指示する付箋が裏面の一部に形成された糊層によって積層された付箋帳１０であって、特定箇所１４を囲繞する窓部が形成される指示付箋部１１のブロック１１Ａと、指示付箋部１１の窓部１１ａに収容された中央付箋部１２のブロック１２Ａと、を有して構成され、各ブロック１１Ａ，１２Ａは、糊層１７ａ，１７ｂを有する付箋帳１０とするものである。【選択図】図１
2014117872.tif 000002
【特許請求の範囲】
【請求項１】
書類の署名や捺印箇所などの特定箇所を指示する付箋が裏面の一部に形成された糊層によって積層された付箋帳であって、
該特定箇所を囲繞する窓部が形成される指示付箋部のブロックと、
該指示付箋部の窓部に収容された中央付箋部のブロックと、を有して構成され、
各ブロックは、該糊層を有する付箋帳。
【請求項２】
前記中央付箋部のブロックは、複数のブロックに分割されている、
ことを特徴とする請求項１に記載の付箋帳。
【請求項３】
前記指示付箋部、及び／又は、前記中央付箋部の、一部又は全体が、透明又は半透明な素材で形成される、
ことを特徴とする請求項１又は請求項２に記載の付箋帳。
【請求項４】
少なくとも前記指示付箋部又は中央付箋部の表面には、指示事項が表記されている、
ことを特徴とする請求項１乃至請求項３のいずれか一項に記載の付箋帳。
【請求項５】
前記指示付箋部において前記窓部を形成する部位の一部に窓部の内外を連通すべく開口箇所が設けられる、
ことを特徴とする請求項１乃至請求項４のいずれか一項に記載の付箋帳。
【請求項６】
前記中央付箋部について綴られていない辺側と、前記指示付箋部の間には、隙間が形成される、
ことを特徴とする請求項１乃至請求項５のいずれか一項に記載の付箋帳。
【発明の詳細な説明】
【技術分野】
【０００１】
本発明は、書類の署名又は捺印箇所などを指示するために用いる貼着・剥離自在な付箋帳に関する。
【背景技術】
【０００２】
従来、事務仕事等のビジネスシーンにおいて、メモを書き記す目的や、特定の箇所を指示する目的等に付箋帳が利用されている。一般的な付箋帳の形態として、特許文献１のように略長方形の片状をなす紙片の長手方向一端側裏面に粘着剤層が設けられるものを複数枚積層し、これを積層体の単位で市販されるものが知られている。付箋帳を利用する際には、一枚ずつ積層体から引き剥がして必要な箇所に貼付するようになっている。
【０００３】
特許文献１では、表面に模様を付すことでファッション性を持たせた形態が開示されている。特許文献２では、矢印形に形成された付箋帳により、捺印箇所などの特定の位置を指し示す形態が開示されている。さらに、特許文献３では、捺印箇所が囲まれた付箋の形態も開示されている。
【先行技術文献】
【特許文献】
【０００４】
【特許文献１】特開平１１−３４２６９０号公報
【特許文献２】実用新案登録第３０８１３９０号公報
【特許文献３】特開平８−２１６５５８号公報
【発明の概要】
【発明が解決しようとする課題】
【０００５】
特許文献３に開示されるように、捺印箇所が指定され、さらに添付されたまま捺印が可能である付箋は、位置を明確に示しつつ捺印者に剥離をさせる必要が無いことから非常に有効な付箋ではあるが、工場等での実際の作製を考えた場合、仮に、枠状表示部に囲まれた部分をくり貫くことで枠状表示部を構成することとすると、くり貫かれた部位が廃棄されて利用されないものとなるため、無駄が多い構成となってしまう。
【０００６】
また、特許文献３において、枠状表示部から要件表示領域を突出させる形態は、形状が複雑であることから、作製が困難なものとなり、特定の形状を形成するために取り除かれて除去される部分が多く、より無駄が多い構成となってしまうことが懸念される。
【０００７】
そこで、本発明は、署名箇所や捺印箇所などをより厳密に明示可能な付箋帳について、利便性に富み、無駄の少ない構成を提案するものである。
【課題を解決するための手段】
【０００８】
請求項１に記載の発明によると、書類の署名や捺印箇所などの特定箇所を指示する付箋が裏面の一部に形成された糊層によって積層された付箋帳であって、特定箇所を囲繞する窓部が形成される指示付箋部のブロックと、指示付箋部の窓部に収容された中央付箋部のブロックと、を有して構成され、各ブロックは、糊層を有する付箋帳が提供される。
【０００９】
好ましくは、中央付箋部のブロックは、複数のブロックに分割されていることとする。
【００１０】
さらに好ましくは、指示付箋部、及び／又は、中央付箋部の、一部又は全体が、透明又は半透明な素材で形成されることとする。
【００１１】
さらに好ましくは、少なくとも指示付箋部又は中央付箋部の表面には、指示事項が表記されていることとする。
【００１２】
さらに好ましくは、指示付箋部において窓部を形成する部位の一部に窓部の内外を連通すべく開口箇所が設けられることとする。
【００１３】
さらに好ましくは、中央付箋部について綴られていない辺側と、指示付箋部の間には、隙間が形成される、こととする。
【発明の効果】
【００１４】
本発明によると、署名、捺印などの特定箇所が窓部内であることを厳密に明示することが可能となり、正しい箇所に署名、捺印などが確実になされることが可能となる。また、指示付箋部のブロックの内部に形成された領域が中央付箋部のブロックとして利用されるため、無駄が全くない構成が実現される。さらに、印鑑などの捺印箇所を明確に示すための窓部を有する付箋（指示付箋部）と、窓部に付随して使用され窓部の機能を補足するように利用できる付箋（中央付箋部）とが、１つの付箋帳から分離線によって分割されることによって各ブロックを形成することができ、製造が容易である。
【００１５】
また、特に請求項２に記載の発明によれば、サイズの異なる多種類の付箋を一つの付箋帳に備えさせることができる。
【００１６】
また、特に請求項３に記載の発明によれば、透明又は半透明な素材で形成されることで、添付される書類の記載を付箋越しに視認できるため、署名位置や捺印位置など付箋を添付した状態のまま確認できる。
【００１７】
また、特に請求項４に記載の発明によれば、使用頻度の高い要件等を予め指示部に印刷しておくことで、手書きによる追記の手間が削減され、また、捺印箇所の視認時に視野範囲に確実に入る位置に指示内容が表示されているため、指示内容を相手に確実に伝えることができる。
【００１８】
また、特に請求項５に記載の発明によれば、開口箇所に重なる位置においても捺印などをすることが可能となる。
【００１９】
また、特に請求項６に記載の発明によれば、中央付箋部について、綴られていない辺側に隙間を持たせたことにより、中央付箋部の剥離性を各段に向上させることができる（めくり易くなる）。
【図面の簡単な説明】
【００２０】
【図１】（Ａ）は実施例１の付箋帳について示す図。（Ｂ）は実施例１の付箋帳の指示付箋部をめくる様子について示す図。
【図２】実施例１の付箋帳の利用形態について説明する図。
【図３】実施例１に表示される指示事項などの例について説明する図。
【図４】指示付箋部の裏面の全面に糊層が設けられる例について説明する図。
【図５】（Ａ）は実施例１において中央付箋部の縦面を傾斜面で構成する例について示す図。（Ｂ）は中央付箋部の縦面の傾斜面を説明する側面図。
【図６】実施例２の付箋帳の構成について示す図。
【図７】実施例２の付箋帳の利用形態について説明する図。
【図８】実施例３の付箋帳の構成について示す図。
【図９】実施例３の付箋帳の構成の他の例について示す図。
【図１０】実施例４の付箋帳の構成について示す図。
【図１１】実施例５の付箋帳の構成について示す図。
【図１２】実施例５の付箋帳の利用形態について説明する図。
【図１３】実施例６の付箋帳の構成について示す図。
【図１４】（Ａ）は実施例６の付箋帳の利用形態について説明する図。（Ｂ）は製本テープに割り印をする例について説明する図。
【図１５】実施例６の付箋帳の他の利用形態について説明する図。
【図１６】（Ａ）は実施例７の付箋帳の構成について示す図。（Ｂ）は実施例７の付箋帳の利用形態について示す図。
【図１７】実施例７の付箋帳の構成の他の例について示す図。
【発明を実施するための形態】
【００２１】
本発明は、書類の署名や捺印箇所などの特定箇所を指示する付箋が裏面の一部に形成された糊層によって積層された付箋帳であって、特定箇所を囲繞する窓部が形成される指示付箋部のブロックと、指示付箋部の窓部に収容された中央付箋部のブロックと、を有して構成され、各ブロックは、糊層を有する付箋帳とするものである。以下、実施例を用いて詳細に説明するが、これらの各実施例は単独で実施するほか、複数の実施例を組み合わせて実施されることとしてもよい。
【実施例１】
【００２２】
図１（Ａ）（Ｂ）に示すように、実施例１の付箋帳１０は、指示付箋部１１のブロック１１Ａと、中央付箋部１２のブロック１２Ａを有して構成される。各ブロック１１Ａ，１１Ｂは、付箋紙を積層してブロック状に構成され、分離線１９を境に互いに分離できるようになっている。
【００２３】
付箋帳１０を構成する各付箋紙の素材については特に限定されるものではないが、例えば、表面への書き込みや、廃棄などの観点から、紙、或いは、書き込み可能な樹脂フィルムなどを用いることが考えられる。
【００２４】
指示付箋部１１のブロック１１Ａは、図１（Ｂ）に示すように、付箋紙からなる指示付箋部１１を一枚一枚剥がして使用できるように構成されている。
【００２５】
指示付箋部１１には、図２に示すように、紙面１３上において印鑑などの捺印箇所となる特定箇所１４を囲繞することを目的として、窓部１１ａが形成されている。この窓部１１ａは貫通しており、窓部１１ａを通して特定箇所１４に直接捺印などを行うことが可能である。
【００２６】
窓部１１ａは、横辺部１５ｂ，１５ｃ、及び縦辺部１５ｄ，１５ｅの四辺に囲まれて略正方形に構成されており、図１（Ａ）に示すように、各辺部の表面には、任意にメモを書き込むことが可能である。なお、メモなどの文字、図形やしるしなどは予め印字されるものであってもよい。
【００２７】
本実施形態では、図３に示すように、横辺部１５ｂにチェックボックス１８ａと、「署名・捺印」の指示事項１８ｂが予め印字されている。また、横辺部１５ｃの左隅側には、チェックボックス１８ｃと「捺印」の指示事項１８ｄが予め印字されている。また、横辺部１５ｃの右隅側には、チェックボックス１８ｅと、「署名」の指示事項１８ｆが予め印字されている。
【００２８】
このように、使用頻度の高い要件等を予め指示付箋部１１に印刷しておくことで、手書きによる追記の手間が削減され、また、捺印箇所の視認時に視野範囲に確実に入る位置に指示内容が表示されているため、指示内容を相手に確実に伝えることができる。
【００２９】
中央付箋部１２のブロック１２Ａは、図１（Ｂ）に示すように、付箋紙からなる中央付箋部１２を一枚一枚剥がして使用できるように構成されている。
【００３０】
中央付箋部１２は、方形の付箋として一般的な使用形態がなされるものであり、図２に示すように、例えば、その一端を紙面１３からはみ出させるように貼付することで、特定箇所１４が存在し、指示付箋部１１が添付されたページの目印として使用することができる。
【００３１】
また、図１（Ａ）に示すように、指示付箋部１１の裏面の一部、中央付箋部１２の裏面の一部には、それぞれ糊層１７ａ，１７ｂが設けられている。この糊層１７ａ，１７ｂは、紙面１３（図２）に対し指示付箋部１１や中央付箋部１２を貼着させるとともに、指示付箋部１１や中央付箋部１２を紙面から容易に剥離できるものとされる。
【００３２】
また、この糊層１７ａ，１７ｂによって、指示付箋部１１と中央付箋部１２がそれぞれブロック１１Ａ，１２Ａを構成し、一つのまとまった付箋帳１０として構成される。
【００３３】
さらに、図１（Ａ）に示すように、この糊層１７ａ，１７ｂは、例えば、一本の帯状の糊のライン１７ｃにより構成し、当該ライン１７ｃが指示付箋部１１と中央付箋部１２の両方にかかる構成とすることによれば、製造時において、一本の帯状の糊のライン１７ｃによって、糊層１７ａ，１７ｂを形成することができ、生産効率に優れた製造を行うことができる。
【００３４】
以上の実施例１の形態においては、付箋帳１０を貼付したまま印鑑１（図２）を用いた捺印を行うことができるため、正確な位置に捺印がなされることになる。捺印がなされた後は、適宜付箋帳１０を剥がすだけで捺印に関する作業を容易に終了することができる。なお、以上の説明では、捺印の例を持って説明したが、紙面に署名や、日付、チェック（しるし）などの書き込みを行う場合においても、本実施例１の付箋帳１０を活用することが可能である。
【００３５】
加えて、実施例１の形態においては、図１（Ａ）（Ｂ）、及び、図２に示すように、書類の署名や捺印箇所などの特定箇所１４を指示する付箋が裏面の一部に形成された糊層によって積層された付箋帳１０であって、特定箇所１４を囲繞する窓部が形成される指示付箋部１１のブロック１１Ａと、指示付箋部１１の窓部１１ａに収容された中央付箋部１２のブロック１２Ａと、を有して構成され、各ブロック１１Ａ，１２Ａは、糊層１７ａ，１７ｂを有する付箋帳１０とするものである。
【００３６】
この構成によれば、指示付箋部１１の内部の部位を中央付箋部１２として利用する構成となるため、無駄が全くない付箋帳１０を構成することができる。また、この付箋帳１０は、例えば、１つの付箋帳について、中央付箋部１２の輪郭を形成するための分離線１９に沿って、中央付箋部１２の部位をくり貫いて分離することで製造することができ、単純な製造工程によって作製することが可能となる。つまり、１つの付箋帳から分離線によって分割されることによって各ブロックを形成することができ、製造が容易である。
【００３７】
また、以上の実施例１の形態に加え、図４に示す付箋帳１０Ａのように、指示付箋部１１の裏面の全面に糊層１７ａが設けられる構成としてもよい。これによれば、指示付箋部１１の全範囲が糊層１７ａによって貼付対象となる書類に対し、しっかりと貼り付けられるため、指示付箋部１１がバタついたり、指示付箋部１１の位置ズレなどの不具合発生を防止できる。
【００３８】
さらに、以上の実施例１の形態に加え、図５（Ａ）（Ｂ）に示す付箋帳１０Ｂのように、中央付箋部１２のブロック１２Ａについて、側面視における奥行き方向Ｍにおける長さ寸法が、下側の中央付箋部１２になるほど、糊層１７ｂと反対側に伸びるように構成され、これにより、糊層１７ｂと反対側の縦面１２ａが傾斜面を構成するようにしている。
【００３９】
これにより、図５（Ｂ）に示すように、指示付箋部１１が先に多く使われてしまい、中央付箋部１２のブロック１２Ａが多く残ってしまうような状況となった場合にも、ブロック１２Ａの縦面１２ａが傾斜していることによって、指示付箋部１１の窓部１１ａが縦面１２ａに引っかかり難くなり、指示付箋部１１をスムーズにめくることが可能となる。
【実施例２】
【００４０】
図６は、中央付箋部１２ｂ，１２ｃ，１２ｄにて構成されるブロックが、複数のブロック１２Ｂ，１２Ｃ，１２Ｄに分割された付箋帳１０Ｃの構成例について示すものである。各ブロックは、分離線１９によって分離されており、各付箋部は分離して個別に使用できるようになっている。
【００４１】
このように、複数のブロック１２Ｂ，１２Ｃ，１２Ｄに分割されることで、各中央付箋部１２ｂ，１２ｃ，１２ｄを所望のサイズに設計することができ、サイズの異なる多種類の付箋を一つの付箋帳１０Ｃに備えさせることができる。本実施例２では、各中央付箋部１２ｂ，１２ｃ，１２ｄが長方形状（短冊形状）をなすように構成されている。
【００４２】
そして、このような構成により、図７に示すように、指示付箋部１１ｃによって特定箇所１４を指示するとともに、指示付箋部１１ｃに中央付箋部１２ｂを貼付して、「押印後に返送してください」といったメモを表記するといった使用形態が可能なる。
【００４３】
加えて、図７に示すように、紙面１３から一部がはみ出すように中央付箋部１２ｃを貼付することで、紙面１３が閉じられた状態においても、その紙面１３の存在箇所を明示する、つまりは、指示付箋部１１ｃが貼付されたページの目印とすることができる。
【実施例３】
【００４４】
図８は、指示付箋部１１ｅのブロック１１Ｅと中央付箋部１２ｅのブロック１２Ｅの間に、隙間Ｓが形成される付箋帳１０Ｅの構成例について示すものである。各ブロックは、分離線１９によって分離されており、各付箋部は分離して個別に使用できるようになっている。
【００４５】
そして、このように隙間Ｓを設けることにより、この隙間Ｓにおいてブロック１２Ｅの角部が常に形成されることになり、一番上の中央付箋部１２ｅがめくり易くなる。
【００４６】
なお、本実施例では、中央付箋部１２ｅの糊層１７ｂの反対側の端部（糊層１７ｂで綴られていない辺側）と、分離線１９の間に隙間Ｓが形成されることとし、この隙間Ｓから中央付箋部１２ｅに指の腹を引っ掛けつつ、そのまま、中央付箋部１２ｅをめくることによって、容易に中央付箋部１２を分離できるようになっている。
【００４７】
また、図９に示すような中央付箋部１２ｆ，１２ｇ，１２ｈのブロックが複数のブロック１２Ｆ，１２Ｇ，１２Ｈに分割されている付箋帳１０Ｆについても同様に、各ブロック１２Ｆ，１２Ｇ，１２Ｈと、指示付箋部１１ｆのブロック１１Ｆの間に、隙間Ｓを形成することができる。
【実施例４】
【００４８】
図１０に示す例では、指示付箋部１１Ｊについて、一部又は全部が透明、又は、半透明な素材で形成されることとしている。この例は、例えば、指示付箋部１１Ｊの裏側に文字４６が隠れてしまう場合などにおいて、この文字４６を示したい場合などにおいて、特に有効な実施形態となる。
【００４９】
このような場合、署名者は、指示付箋部１１Ｊの裏側の文字４６（「氏名」）などを指示付箋部１１Ｊ越しに視認できるため、指示付箋部１１Ｊを剥がすことなく添付したままの状態で、署名位置や捺印位置などを確認できることになる。
【実施例５】
【００５０】
図１１に示す例では、中央付箋部１２ｒ，１２ｓにて構成されるブロックが、複数のブロック１２Ｒ，１２Ｓに分割された付箋帳１０Ｒの構成例について示すものである。各ブロックは、分離線１９によって分離されており、各付箋部は分離して個別に使用できるようになっている。
【００５１】
また、指示付箋部１１ｒについて、「捺印」の指示事項１８ｃと、チェックボックス１８ｄが表示されるとともに、中央付箋部１２ｒ，１２ｓについても、「返送  日迄」、「訂正箇所」、といった印字１８ｅ，１８ｆが表示されることとしている。
【００５２】
このように構成することで、例えば、図１２に示すように、指示付箋部１１ｒの上に中央付箋部１２ｒを貼付して、指示付箋部１１ｒで特定箇所１４を指示するとともに、中央付箋部１２ｒに表示される「返送  日迄」の内容によって、いつまでに、返送が必要であるかといった情報を伝えることが可能となる。
【００５３】
加えて、図１２に示すように、紙面１３から一部がはみ出すように中央付箋部１２ｒを貼付することで、紙面１３が閉じられた状態においても、その紙面１３の存在箇所を明示する、つまりは、指示付箋部１１ｒが貼付されたページの目印とすることができる。
【実施例６】
【００５４】
図１３に示すように、実施例５の付箋帳１０Ｋは、指示付箋部１１ｋからなるブロック１１Ｋと、中央付箋部１２ｋ，１２ｍ，１２ｎからなるブロック１２Ｋ，１２Ｍ，１２Ｎを有して構成される。各ブロックは、分離線１９によって分離されており、各付箋部は分離して個別に使用できるようになっている。
【００５５】
指示付箋部１１ｋには、例えば、図１４（Ａ）に示すように、紙面２３上の特定箇所２４を囲繞することを目的として、窓部２１ａが形成されている。この窓部２１ａは貫通しており、窓部２１ａを通して特定箇所２４に直接捺印（割印２５）などを行うことが可能となっている。
【００５６】
窓部２１ａは、第一辺部２１ｂ、及び、第一辺部２１ｂの両端側からそれぞれ一方向に伸びる第二辺部２１ｃ，２１ｄの三辺から略「コ」字状に構成されており、図１４（Ａ）の例に示すように、各辺部の表面には、指示事項２８ａやチェックボックス２８ｂが予め印字などされ、また、任意にメモも書き込むことが可能となっている。
【００５７】
また、指示付箋部１１ｋの形状は、略「コ」字状に構成されることで、窓部２１ａの一部が開口する形態となっている。換言すれば、指示付箋部１１ｋにおいて窓部２１ａを形成する部位の一部が窓部２１ａの内外を連通すべく開口箇所２１ｚが設けられる。これにより、この開口箇所２１ｚに重なる位置においても捺印などをすることが可能となる。
【００５８】
このため、図１４（Ａ）に示すように、例えば、見開きの紙面の継ぎ目箇所２３Ａにおいて、割印２５を施す場合など、紙面の端部に近い箇所に捺印が要求される場合においては、開口箇所２１ｚを書類の端部側（図において継ぎ目箇所２３Ａに近い側）に配置することにより、指示付箋部１１ｋを継ぎ目箇所２３Ａに近づけて配置することができる。また、割印２５が捺印される特定箇所２４に指示付箋部１１ｋを被せることなく、特定箇所２４を明示することができ、指示付箋部１１ｋを貼着したまま割印２５を捺印することができる。
【００５９】
また、図１４（Ａ）に示すように、指示付箋部１１ｋの上に中央付箋部１２ｋを貼付して、「押印後に返送してください」といったメモ書きを表示することとしてもよい。このように、指示付箋部１１ｋと中央付箋部１２ｋを同時に組み合わせて使用してもよい。
【００６０】
加えて、図１４（Ａ）に示すように、紙面２３から一部がはみ出すように中央付箋部１２ｍを貼付することで、紙面２３が閉じられた状態においても、その紙面２３の存在箇所を明示する、つまりは、指示付箋部１１ｋが貼付されたページの目印とすることができる。
【００６１】
また、図１４（Ｂ）に示すように、製本テープ８０が用いられる箇所に、割り印２５ａを捺印するような場合においては、製本テープ８０と紙面８１の境界部分を指示付箋部１１ｋで取り囲むようにして、使用することができる。
【００６２】
また、以上の構成であれば、指示付箋部１１ｋにおいて窓部２１ａを形成する部位の一部に窓部２１ａの内外を連通すべく開口箇所２１ｚが設けられ、書類の端部に特定箇所２４がある場合において、開口箇所２１ｚを書類の端部側、即ち、図１４（Ａ）の例であれば見開きの紙面の継ぎ目箇所２３Ａ、図１４（Ｂ）の例であれば、製本テープ８０が配置される側に配置することにより、指示付箋部１１ｋを書類からはみ出すことなく配置することができる。
【００６３】
つまり、第二辺部２１ｃ，２１ｄが継ぎ目箇所２３Ａや製本テープ８０をはみ出すことなく配置することができ、第二辺部２１ｃ，２１ｄの裏面の糊層が他の紙面に貼着してしまうことや、これに伴って剥がれてしまうといった不具合の発生を防止できる。
【００６４】
さらに、図１５に示すように、二枚の指示付箋部１１ｋ，１１ｋを上下方向に対向して間隔を開けて配置するとともに、その間に、二枚の中央付箋部１２ｋ，１２ｋを左右に対向して間隔を開けて配置することで、全体として、縦長の広い窓部２１ｂを構成し、合計三箇所となる捺印箇所を一つの窓部２１ｂで取り囲むような使用形態を実施することもできる。
【実施例７】
【００６５】
図１６（Ａ）（Ｂ）では、指示付箋部１１ｖにおいて窓部１１ａを形成する部位の一部が窓部１１ａの内外を連通すべく開口箇所を形成するために、ミシン目からなる分離線３１を設けた付箋帳１０Ｖが示されている。
【００６６】
指示付箋部１１ｖは、図１６（Ｂ）に示すように、四辺３２ａ〜３２ｄを有してなる四方枠状に構成されており、その一辺３２ａにおいて、辺の長手方向と直交する方向に分離線３１，３１が、長手方向に離間して設けられている。
【００６７】
そして、この分離線３１，３１に挟まれる分離領域３３を取り除くことによって、窓部１１ａの内外を連通すべく開口箇所３４を形成することができるようになっている。このように開口箇所３４を構成することによって、図１３に示す付箋帳１０Ｋにおける指示付箋部１１ｋと同様の用い方を実施することができる。
【００６８】
また、分離領域３３についても、裏面に糊層１７ｂが配置されることにより、この分離領域３３を付箋紙として利用することができ、付箋帳１０Ｖを無駄なく使用することができる。
【００６９】
さらに、図１７に示す付箋帳１０Ｗのように、四辺４２ａ〜４２ｄを有してなる四方枠状に構成される指示付箋部１１ｗについて、各辺について、辺の長手方向と直交する方向に分離線４１，４１を長手方向に離間して設けることとしてもよい。
【００７０】
このように、分離線４１，４１を複数箇所に設けることによれば、任意に分離線４１による分離を行うことで、指示付箋部１１ｗを任意の形状にすることができ、多彩な使用方法を実施することが可能となる。
【符号の説明】
【００７１】
１    印鑑
１０    付箋帳
１１    指示付箋部
１１Ａ    ブロック
１１ａ    窓部
１２    中央付箋部
１２Ａ    ブロック
１３    紙面
１４    特定箇所
１６    メモ
１７ａ    糊層
１７ｂ    糊層
２４    特定箇所
２５    割印
Ｓ    隙間
【図１】
2014117872.tif 000003
【図２】
2014117872.tif 000004
【図３】
2014117872.tif 000005
【図４】
2014117872.tif 000006
【図５】
2014117872.tif 000007
【図６】
2014117872.tif 000008
【図７】
2014117872.tif 000009
【図８】
2014117872.tif 000010
【図９】
2014117872.tif 000011
【図１０】
2014117872.tif 000012
【図１１】
2014117872.tif 000013
【図１２】
2014117872.tif 000014
【図１３】
2014117872.tif 000015
【図１４】
2014117872.tif 000016
【図１５】
2014117872.tif 000017
【図１６】
2014117872.tif 000018
【図１７】
2014117872.tif 000019
【手続補正書】
【提出日】平成25年2月28日(2013.2.28)
【手続補正１】
【補正対象書類名】特許請求の範囲
【補正対象項目名】全文
【補正方法】変更
【補正の内容】
【特許請求の範囲】
【請求項１】
書類の署名や捺印箇所などの特定箇所を指示する付箋が裏面の一部に形成された糊層によって積層された付箋帳であって、
該特定箇所を囲繞するための窓部が形成された複数枚の指示付箋部を糊層で接着しつつ積層してなる第一のブロックと、
該第一のブロックと別体の第二のブロックであって、該窓部の内部に収容され、複数枚の中央付箋部を糊層で接着しつつ積層してなる第二のブロックと、を備えたことを特徴とする付箋帳。
【請求項２】
前記第二のブロックは、複数のブロックに分割された別体のブロックを有し、各ブロックが複数枚の付箋部を糊層で接着しつつ積層してなるブロックである、
ことを特徴とする請求項１に記載の付箋帳。
【請求項３】
前記指示付箋部、及び／又は、前記中央付箋部の、一部又は全体が、透明又は半透明な素材で形成される、
ことを特徴とする請求項１又は請求項２に記載の付箋帳。
【請求項４】
少なくとも前記指示付箋部又は中央付箋部の表面には、指示事項が表記されている、
ことを特徴とする請求項１乃至請求項３のいずれか一項に記載の付箋帳。
【請求項５】
前記指示付箋部において前記窓部を形成する部位の一部に窓部の内外を連通すべく開口箇所が設けられる、
ことを特徴とする請求項１乃至請求項４のいずれか一項に記載の付箋帳。
【請求項６】
前記中央付箋部について綴られていない辺側と、前記指示付箋部の間には、隙間が形成される、
ことを特徴とする請求項１乃至請求項５のいずれか一項に記載の付箋帳。
【手続補正２】
【補正対象書類名】明細書
【補正対象項目名】０００８
【補正方法】変更
【補正の内容】
【０００８】
請求項１に記載の発明によると、書類の署名や捺印箇所などの特定箇所を指示する付箋が裏面の一部に形成された糊層によって積層された付箋帳であって、特定箇所を囲繞するための窓部が形成された複数枚の指示付箋部を糊層で接着しつつ積層してなる第一のブロックと、第一のブロックと別体の第二のブロックであって、窓部の内部に収容され、複数枚の中央付箋部を糊層で接着しつつ積層してなる第二のブロックと、を備えたことを特徴とする付箋帳が提供される。
【手続補正３】
【補正対象書類名】明細書
【補正対象項目名】０００９
【補正方法】変更
【補正の内容】
【０００９】
好ましくは、第二のブロックは、複数のブロックに分割された別体のブロックを有し、各ブロックが複数枚の付箋部を糊層で接着しつつ積層してなるブロックである、こととする。
【手続補正４】
【補正対象書類名】明細書
【補正対象項目名】００２２
【補正方法】変更
【補正の内容】
【００２２】
図１（Ａ）（Ｂ）に示すように、実施例１の付箋帳１０は、第一のブロックとなる指示付箋部１１のブロック１１Ａと、第二のブロックとなる中央付箋部１２のブロック１２Ａを有して構成される。各ブロック１１Ａ，１１Ｂは、付箋紙を積層してブロック状に構成され、分離線１９を境に互いに分離できるようになっている。
【手続補正５】
【補正対象書類名】明細書
【補正対象項目名】００３４
【補正方法】変更
【補正の内容】
【００３４】
以上の実施例１の形態においては、指示付箋部１１を貼付したまま印鑑１（図２）を用いた捺印を行うことができるため、正確な位置に捺印がなされることになる。捺印がなされた後は、適宜指示付箋部１１を剥がすだけで捺印に関する作業を容易に終了することができる。なお、以上の説明では、捺印の例を持って説明したが、紙面に署名や、日付、チェック（しるし）などの書き込みを行う場合においても、本実施例１の指示付箋部１１を活用することが可能である。
【手続補正６】
【補正対象書類名】明細書
【補正対象項目名】００４０
【補正方法】変更
【補正の内容】
【００４０】
図６は、中央付箋部１２ｂ，１２ｃ，１２ｄにて構成される第二のブロックが、複数のブロック１２Ｂ，１２Ｃ，１２Ｄに分割された付箋帳１０Ｃの構成例について示すものである。各ブロックは、分離線１９によって分離されており、各付箋部は分離して個別に使用できるようになっている。